(57)【要約】【課題】梱包や保管時にコンパクトになるとともに、完成品として組立てるのも簡単で、デザイン的にも優れており、更に天板の奥行幅に応じて最小限の部品変更で対応することができ、しかも前後のスタッキング機能を備えたテーブル、机の脚装置を提供する。【解決手段】テーブル、机の天板２の両側部を支持する脚装置であって、主脚４と該主脚の前方に配する単又は複数種類の中から選んだ補助脚５とからなり、主脚の上下中間部に補助脚の上端部を着脱可能に連結してなる。【選択図】　　　　図６
2004121439.tif 000002
【特許請求の範囲】
【請求項１】
テーブル、机の天板の両側部を支持する脚装置であって、主脚と該主脚の前方に配する単又は複数種類の中から選んだ補助脚とからなり、前記主脚の上下中間部に補助脚の上端部を着脱可能に連結してなることを特徴とするテーブル、机の脚装置。
【請求項２】
前記補助脚を連結する前記主脚の連結部の前面側に螺孔を形成し、前記補助脚の上端部に主脚の連結部の前面側から側面側に係合する係合部を形成するとともに、前記螺孔に対応する係合部に取付孔を形成し、前記連結部に係合部を係合させた状態で前面側からネジを取付孔に挿通し且つ螺孔に螺合してなる請求項１記載のテーブル、机の脚装置。
【請求項３】
前記主脚の上端部に前記天板を上下折畳み可能に連結してなる請求項１又は２記載のテーブル、机の脚装置。
【請求項４】
前記補助脚を主脚より外側に開いて前後にスタッキング可能な構造とし、前記補助脚の内側面側に他のテーブル、机の主脚を受入れる際の摺動及び緩衝作用を有する保護部材を添設してなる請求項１〜３何れかに記載のテーブル、机の脚装置。
【発明の詳細な説明】
【０００１】
【発明の属する技術分野】
本発明は、テーブル、机の脚装置に係わり、更に詳しくは天板の奥行幅に応じて変更可能であり、また梱包における嵩高さを解消するテーブル、机の脚装置に関するものである。
【０００２】
【従来の技術】
従来から、テーブル、机の脚装置は各種提供されている。例えば、このような脚装置としては、脚板構造のもの、側面視Ｌ字形のもの、前後分離型のものなど多種多様である。ここで、天板を支持する脚装置が備えなければならない機能として、先ず安定性に優れていること、次に支持強度が高いこと、デザイン的に優れていることが挙げられる。
【０００３】
また、天板が上下方向に回動する折畳み式テーブルの場合、脚装置に対して更に要求される条件が厳しくなる。つまり、脚装置の上端部に天板を回動可能に連結するため上端部はコンパクトでなくてはならない。しかも、天板を上方へ回動させて折畳むと重心が後方に移動するので、その場合にも安定して支持できなければならない。更に、折畳み状態で前後にスタッキング可能とするには、後方のテーブルの両脚体間に、前方のテーブルの両脚体が進入しなければならない。
【０００４】
このような脚装置として特許文献１には、上端部に天板を回動可能に連結する一対の前傾した脚支柱を設け、これら一対の脚支柱の側方へ離間して補助脚を配し、脚支柱の中高位置に補助脚の上端を固定するとともに、補助脚を外側へ緩やかに湾曲させた構造の脚体が記載されている。また、特許文献２には、傾斜した第１脚杆の外側に、側面視く字形に前方へ屈曲した第２脚杆を配し、両脚杆の上部同士を固定した構造の脚体が記載されている。
【０００５】
しかし、両特許文献に記載された脚体は、天板を折畳んだ状態でもそのままの形状を維持するので、梱包する際には嵩高さは解消されない。そのため、天板と脚体を回動部分で分離するとともに、左右の脚体を連結している補強用ビームも分離しなければならす、非常に手間がかかり、特に回動部分にロック機構や幕板との連動機構が備わっている場合には、それらの連結を分解しなければならず、事実上天板と脚体を分離することは不可能である。
【０００６】
【特許文献１】実用新案登録第２５７２７５７号
【０００７】
【特許文献２】実用新案登録第３００３６０８号
【０００８】
【発明が解決しようとする課題】
本発明が前述の状況に鑑み、解決しようとするところは、梱包や保管時にコンパクトになるとともに、完成品として組立てるのも簡単で、デザイン的にも優れており、更に天板の奥行幅に応じて最小限の部品変更で対応することができ、しかも前後のスタッキング機能を備えたテーブル、机の脚装置を提供する点にある。
【０００９】
【課題を解決するための手段】
本発明は、前述の課題解決のために、テーブル、机の天板の両側部を支持する脚装置であって、主脚と該主脚の前方に配する単又は複数種類の中から選んだ補助脚とからなり、前記主脚の上下中間部に補助脚の上端部を着脱可能に連結してなるテーブル、机の脚装置を構成した。
【００１０】
具体的には、前記補助脚を連結する前記主脚の連結部の前面側に螺孔を形成し、前記補助脚の上端部に主脚の連結部の前面側から側面側に係合する係合部を形成するとともに、前記螺孔に対応する係合部に取付孔を形成し、前記連結部に係合部を係合させた状態で前面側からネジを取付孔に挿通し且つ螺孔に螺合してなるのである。
【００１１】
また、前記主脚の上端部に前記天板を上下折畳み可能に連結してなる折畳み式テーブルに適用するとより好ましい。
【００１２】
更に、前記補助脚を主脚より外側に開いて前後にスタッキング可能な構造とし、前記補助脚の内側面側に他のテーブル、机の主脚を受入れる際の摺動及び緩衝作用を有する保護部材を添設してなることも好ましい。
【００１３】
【発明の実施の形態】
次に本発明の実施の形態を添付図面に基づき更に詳細に説明する。本発明の脚装置は、広く一般のテーブルや机に適用できるものであるが、本実施形態では折畳み式テーブルに適用した例で説明する。図１は、本実施形態の折畳み式テーブルを背後から見た使用状態における全体斜視図、図２は同じく使用状態における側面図、図３は折畳み状態における側面図、図４及び図５は脚装置の詳細を示している。図中符号Ａは脚装置、Ｂは幕板連動装置、Ｃはロック装置、１は脚体、２は天板、３は幕板をそれぞれ示している。
【００１４】
本実施形態の折畳み式テーブルは、左右の脚体１，１の上端部に、天板２の下面両側部を上下回動可能に連結し、該天板２を略水平な使用状態（図２参照）と上方へ回動させた折畳み状態（図３参照）とに変更することができるとともに、前記天板２の後部下方に配した幕板３を、天板２後部下方に接近して垂下した使用状態と両脚体１，１の後縁に沿った折畳み状態との間を移動可能に前記天板２と連動させてリンク連結したものであり、使用状態と折畳み状態にロック可能な構造となっている。
【００１５】
先ず、本発明に係る脚装置Ａ（脚体１）は、図１〜図５に示すように、前記天板２の両側部を支持する脚装置であって、主脚４と該主脚４の前方に配する単又は複数種類の中から選んだ補助脚５とからなり、前記主脚４の上下中間部に補助脚５の上端部を着脱可能に連結したものである。
【００１６】
具体的には、図４及び図５に示すように、前記脚体１は、前記補助脚５を連結する前記主脚４の連結部６の前面側に螺孔７，７を形成し、前記補助脚５の上端部に主脚４の連結部６の前面側から側面側に係合する係合部８を形成するとともに、前記螺孔７，７に対応する係合部８に取付孔９，９を形成し、前記連結部６に係合部８を係合させた状態で前面側からネジ１０，１０を取付孔９，９に挿通し且つ螺孔７，７に螺合してなるのである。
【００１７】
ここで、前記連結部６は、前記係合部８を嵌合する凹部となすとより連結が強固である。前記係合部８は、前記主脚４の前面側に接合し、前記取付孔９，９を形成した前面部８ａと、前記前記主脚４の側面側に接合する側面部８ｂとから平面視略Ｌ字形に形成されている。そして、前記ネジ１０，１０によって補助脚５の係合部８の前面部８ａを主脚４の連結部６に引き付けて取付けるが、前記側面部８ｂが主脚４の側面部に当接していることにより、前記補助脚５の外側への変位が規制されるのである。尚、前記ネジ１０，１０は補助脚５の内側に位置し、前面側から主脚４に螺合するので、外側面から見えなくなって外観性の向上が図れる。また、前記補助脚５の係合部８は、その他の部分よりも大きく設定しているため、前記連結部６との接触面積が多くなり、連結状態が安定になるとともに、係合部８による側方への突出が少ないので、足等をぶっつけても怪我をする心配がないのである。
【００１８】
前記脚体１を構成する主脚４と補助脚５は、本実施形態ではアルミニウム製であり、主脚４と補助脚５を分離したことによって成形金型が小さくなって、安くなるので、製造コストを低減することができる。また、前記補助脚５は、前後寸法の異なる複数種類を用意しておけば、前記天板２の奥行幅に応じて選択し、それを前記主脚４に連結し、安定な支持状態を低コストで実現できる。つまり、奥行幅が異なる折畳み式テーブルの商品群を用意するのに、共通の主脚４を用いて、補助脚５のみを異なる寸法のものと組合わせれば良いので、トータルコストの低減化が図れるのである。例えば、図２に示した折畳み式テーブルは、奥行幅が６０ｃｍ天板２と、中間長さの補助脚５の組合せ構成例、図６（ａ）は奥行幅が４５ｃｍの天板２ａと、短い補助脚５ａの組合せ構成例、図６（ｂ）は奥行幅が７０ｃｍの天板２ａと、長い補助脚５ａの組合せた構成例である。また、前記補助脚５は、寸法を違える以外にも、色を替えたものを複数種用意することも可能である。その場合には、色彩デザイン上において好みの色を選択したり、変化を持たせることができる。
【００１９】
また、側面視において、前記主脚４は後方へ突出して緩やかに湾曲した形状であり、前記補助脚５は前方へ突出して緩やかに湾曲した形状であり、該補助脚５は前方になるにつれて僅かに外側に開き、左右の両補助脚５，５間に前方に位置する折畳み式テーブルの両主脚４，４が嵌まり込み、前後にスタッキング可能にしている。また、前記主脚４と補助脚５の下端には、それぞれキャスター１１，…を取付けて移動可能としている。そして、複数の折畳み式テーブルをスタッキングする際に、前方の折畳み式テーブルの補助脚５の内面と後方の折畳み式テーブルの主脚４の外面が擦れるが、その際に摺動性を高めるとともに、接触による傷付きを防止するために、前記補助脚５の内側面の頂部に沿ってポリオレフィン系ゴム等の保護部材１２を添設している。具体的には、前記補助脚５の内側面に凹溝を形成しておき、この凹溝内に保護部材１２の大半部を埋め込んで固定する。尚、前記保護部材１２は、主脚を受入れる際の摺動及び緩衝作用を有する材質であれば適宜採用でき、また補助脚５への取付け構造も接着やネジ止めなど固定手段は問わない。
【００２０】
このように、前記脚体１は、主脚４に対して補助脚５が着脱可能となっているため、梱包や保管時にコンパクトにすることができる。図７は、前記天板２を上方へ回動させるとともに、前記幕板３を主脚４の後縁に沿って配した折畳み状態において、前記補助脚５を主脚４から外した状態を示している。ここで、前記天板２と主脚４及び幕板３は、略直線上に位置するので、後述の幕板連動装置Ｂやロック装置Ｃを分解しなくても全体の厚さが非常に薄いものとなり、扁平な箱で梱包することができる。また、前記補助脚５、５は、両主脚４，４間に収容して梱包することができるので、嵩張らないのである。
【００２１】
ここで、図３及び図７に示すように、前記幕板３を前記脚体１の主脚４の後縁に沿って折畳んだ側面視状態において、該幕板３とそれに対応する前記脚体１の主脚４の後縁の形状を後方へ突出した湾曲形状に略一致させてなると、強度的に弱い幕板３の両側縁を主脚４で保護することになり、折畳み状態あるいは梱包状態においても該幕板３が変形することがなくなる。また、図１及び図２の使用状態において、幕板３は天板２の後端部に位置し、主脚４よりも大きく後退した位置にあるので、足入れ空間を広く使用できるにもかかわらず、前記幕板３が後方へ突出した湾曲形状であるので、その下部が天板２の下方により深く隠れるので、近くを通行の際に足を幕板３の下縁に引っ掛ける恐れも少なくなる。
【００２２】
また、図４及び図５に示すように、前記主脚４の前記連結部６より上部内面側に取付凹部１３を形成し、該取付凹部１３に肉厚が厚い強度の高い支持板１４の下部に形成したクランク状の取付台部１５を内側方からネジ止めするとともに、左右の主脚４，４にそれぞれ取付けた両支持板１４，１４の取付台部１５，１５間に連結ビーム１６を固着し、両支持板１４，１４を該連結ビーム１６で一体化して強度を高めている。それにより、左右の主脚４，４は、前記連結ビーム１６を介して一体に連結されて支持強度が非常に高いものとなっている。
【００２３】
次に、幕板連動装置Ｂについて、図２、図３及び図８に基いて説明する。この幕板連動装置Ｂは、左右の脚体１，１の上端部に、天板２の下面両側部を上下回動可能に主軸１７にて連結するとともに、前記天板２の後部下方に配した幕板３を、天板２後部下方に接近して垂下した使用状態と両脚体１，１の後縁に沿った折畳み状態との間を移動可能に前記天板２と連動させてリンク連結し、前記天板２と幕板３の一連の折畳み動作中に常に天板２の後端部１８と幕板３の上端部１９との間に所定間隔以上の空隙２０を形成したものである。
【００２４】
ここで、所定間隔以上の前記空隙２０を設けることにより、前記天板２の後端部１８を持って該天板２の上下方向に回動させる際に、不意に天板２の後端部１８と幕板３の上端部１９との間で指を挟むことを防止するのである。また、折畳み状態において、前記幕板３が両脚体１，１の主脚４，４の後縁に沿うので、スタッキングした場合に前後の収納効率を高めることができる。
【００２５】
具体的には、前記天板２の後部下方に配した幕板３を、左右両側において一対の上下リンク杆２１，２２にて脚体１にリンク連結するとともに、該上リンク杆２１と天板２後部とを連動杆２３にてリンク連結して天板２と幕板３とを連動させ、前記天板２と幕板３の一連の折畳み動作中に常に天板２の後端部１８と幕板３の上端部１９との間に所定間隔以上の空隙２０を形成すべく、前記上下リンク杆２１，２２及び連動杆２３の長さと枢着位置を設定したのである。
【００２６】
ここで、前述のように、前記幕板３を前記脚体１の主脚４の後縁に沿って折畳んだ側面視状態において、該幕板３とそれに対応する前記脚体１の主脚４の後縁の形状を後方へ突出した湾曲形状に略一致させ、更に前記幕板３を前記脚体１の主脚４の後縁に沿って折畳んだ側面視状態において、前記上下リンク杆２１，２２が前記脚体１の内側に略隠蔽されて、殆ど見えないようにしている。
【００２７】
前述のように、前記上下リンク杆２１，２２及び連動杆２３の長さと枢着位置を設定するには、先ず前記天板２の動作に連動して要求される前記幕板３の使用状態での位置と折畳み状態での位置を決定する。それから、前記幕板３の両側背面位置での前記上リンク杆２１と下リンク杆２２を枢着する第１枢着点２４、第２枢着点２５を決定する。そして、前記幕板３が使用状態と折畳み状態にあるときの前記第１枢着点２４，２４から等距離の点を前記主脚４の内側面上に決定し、この点を第３枢着点２６とし、同様に前記第２枢着点２５，２５から等距離の位置に第４枢着点２７を設定する。それにより、第１枢着点２４と第３枢着点２６を両端に有する前記上リンク杆２１の長さが決定され、また第２枢着点２５と第４枢着点２７を両端に有する前記下リンク杆２２の長さが決定される。ここで、前記上リンク杆２１は、折畳み状態において前記連結ビーム１６を逃がすために、若干湾曲した形状となっている。そして、前記天板２の後部下面の適所に第５枢着点２８を仮決めし、使用状態と折畳み状態における該第５枢着点２８から等距離にある上リンク杆２１の中間部近傍の点を決定し、この点を第６枢着点２９とし、第５枢着点２８と第６枢着点２９を両端に有する前記連動杆２３の長さが決定される。このように、各枢着点２４〜２９の位置が決定され、上下リンク杆２１，２２及び連動杆２３の長さと形状が決定された状態で、前記天板２を使用状態から折畳み状態に変化させ、その変化の途中で前記空隙２０が所定間隔以下になる場合には、前述の設定作業をやり直し、前記天板２と幕板３の一連の折畳み動作中に常に所定間隔以上の空隙２０が形成されるまで繰り返す。それにより、使用状態と折畳み状態における天板２と幕板３の位置は設計どおりになることが保証されているので、折畳み動作中に常に所定間隔以上の空隙２０が確保できたらそれで設定作業は終了する。また、前記第３枢着点２６と第４枢着点２７は、前記支持板１４の取付台部１５に設けてあり、従って主脚４に支持板１４を取付ける前に上下リンク杆２１，２２は組立てることができる。
【００２８】
次に、図２、図３、図９〜図１１に基いて、前記ロック装置Ｃを説明する。このロック装置Ｃは、左右の脚体１，１の上端部に、天板２の下面両側部を上下回動可能に連結し、該天板２を略水平な使用状態と上方へ回動させた折畳み状態とに固定する折畳み式テーブルのロック装置Ｃであって、前記脚体１に設けた支持板１４に主軸１７にて前記天板２を回動可能に連結するとともに、該支持板１４の縁部に第１係合部３０と第２係合部３１を形成し、前記天板２の下面の両側部にそれぞれ上下傾動可能に配した規制部材３２の先端部に突設した規制部３３が、使用状態時に前記第１係合部３０に係合し、折畳み状態時に前記第２係合部３１に係合すべく該規制部材３２をキックばね３４にて弾性付勢するとともに、該規制部材３２の基端部に設けた操作片３５に当接して、前記規制部３３が第１係合部３０又は第２係合部３１から離れる方向に前記規制部材３２を操作する操作部材３６を、天板２の下面の両側部にそれぞれ回動可能に設けたものである。
【００２９】
ここで、前記規制部材３２は、枢軸３７にて傾動可能となし、該規制部材３２とは別体の操作部材３６が支軸３６Ａにて回動可能に設けられている。そして、前記天板２の下面の両側部に設けた両操作部材３６，３６は、その支軸３６Ａ，３６Ａが一本のシャフト３８の両端部に固定され連動して回動するようになっている。前記操作部材３６は、レバー３９と前記規制部材３２の操作片３５に当接する押圧片４０を有し、前記レバー３９を持ち上げることによって、前記押圧片４０が操作片３５を下方に押し、それにより前記規制部材３２のピン状の前記規制部３３がキックばね３４の弾性付勢力に抗して、第１係合部３０又は第２係合部３１から離れ、前記天板２の前縁部等の適所を持って上方に回動させたり、下方へ回動させて状態を変化させるのである。この状態変化の途中では前記レバー３９から手を離しても良く、前記規制部３３が支持板１４の円弧状端縁４１を摺動するのである。
【００３０】
更に具体的には、図９及び図１０に示すように、前記天板２の下面両側部に前後方向に溝部４３を向けて、下方へ開放した断面略コ字形の取付部材４２を取付けるとともに、前記脚体１の上端部に取付けた支持板１４の上部を前記取付部材４２の溝部４３内に配して該取付部材４２の両側壁板４４に主軸１７にて回動可能に連結し、更に前記規制部材３２及び操作部材３６を前記取付部材４２に回動可能に設けている。そして、前記取付部材４２は、合成樹脂製のカバー４５で覆われている。
【００３１】
前記規制部材３２と操作部材３６とを別体で形成し、左右の操作部材３６，３６をシャフト３８で連動させたことにより、左右何れの側の操作部材３６を操作させても両方の規制部材３２，３２を操作することができ、しかも部材精度や取付精度が多少悪くても確実に操作することができる。しかも、最も重要な前記規制部材３２の前記規制部３３が第１係合部３０又は第２係合部３１に係合してロックする動作は、前記キックばね３４の弾性付勢力によってそれぞれ独立して動作するので、確実に使用状態と折畳み状態とに状態を固定できるのである。
【００３２】
また、図２及び図３において、図中符号４６は、天板２の後部下面に取付けた配線ダクトである。この配線ダクト４６は、使用状態において側面視略Ｌ字形の受部の前縁を立ち上げた形状を有し、前方に向かって開放したものである。この配線ダクト４６に前方からコードを配線した状態で、図３に示すように折畳み状態としてもコードが落下することはない。また、前記空隙２０が存在するので、コードを該空隙２０を通して配線したまま、折畳み動作を行ってもコードが断線する恐れがないのである。
【００３３】
【発明の効果】
以上にしてなる請求項１に係る発明のテーブル、机の脚装置は、主脚と該主脚の前方に配する単又は複数種類の中から選んだ補助脚とからなり、前記主脚の上下中間部に補助脚の上端部を着脱可能に連結してなるので、梱包や保管時にコンパクトになるとともに、完成品として組立てるのも簡単で、デザイン的にも優れており、更に天板の奥行幅に応じて最小限の部品変更で対応することができる。
【００３４】
請求項２によれば、前記ネジは補助脚の内側に位置し、前面側から主脚に螺合するので、外側面から見えなくなって外観性の向上が図れ、また前記補助脚の係合部は、主脚の連結部の前面側から側面側に渡って係合しているので、接触面積が多くなり、連結状態が安定になるとともに、係合部による側方への突出が少ないので、足等をぶっつけても怪我をする心配がないのである。
【００３５】
請求項３によれば、天板を折畳み状態とし、補助脚を主脚から取り外せば、梱包や保管時の嵩を小さくできてコンパクトになり、コスト低減化に寄与する。
【００３６】
請求項４によれば、複数のテーブルや机を前後にスタッキングして収納効率を高めることができ、その際に保護部材により前方のテーブルや机の補助脚の内側面と、後方のテーブルや机の主脚の外側面をスムーズに摺動させるとともに、衝突による傷付きを防止できるのである。
【図面の簡単な説明】
【図１】本実施形態の折畳み式テーブルの全体斜視図である。
【図２】折畳み式テーブルの使用状態における側面図である。
【図３】折畳み式テーブルの折畳み状態における側面図である。
【図４】脚体の主脚と補助脚の連結部の分解斜視図である。
【図５】同じく脚体の主脚と補助脚の連結部の組立て状態の斜視図である。
【図６】天板の奥行幅に応じて補助脚を選択して取付けた状態を示し、（ａ）は天板の奥行幅が狭い場合、（ｂ）は天板の奥行幅が広い場合をそれぞれ示している。
【図７】天板と幕板を折畳み状態において、脚体の補助脚を主脚から外してコンパクトにした状態の側面図である。
【図８】天板と幕板の連動機構を示し、（ａ）は使用状態、（ｂ）は折畳み途中の状態、（ｃ）は折畳み状態をそれぞれ示す部分側面図である。
【図９】ロック機構を示す部分斜視図である。
【図１０】同じくロック機構を示す部分平面図である。
【図１１】同じくロック機構を示し、（ａ）は使用状態におけるロック状態を示す部分側面図、（ｂ）は折畳み状態におけるロック状態を示す部分側面図である。
【符号の説明】
Ａ　脚装置　　　　　　Ｂ　幕板連動装置
Ｃ　ロック装置
１　脚体　　　　　　　２　天板
３　幕板　　　　　　　４　主脚
５　補助脚　　　　　　６　連結部
７　螺孔　　　　　　　８　係合部
８ａ　前面部　　　　　８ｂ　側面部
９　取付孔　　　　　　１０　ネジ
１１　キャスター　　　１２　保護部材
１３　取付凹部　　　　１４　支持板
１５　取付台部　　　　１６　連結ビーム
１７　主軸　　　　　　１８　後端部
１９　上端部　　　　　２０　空隙
２１　上リンク杆　　　２２　下リンク杆
２３　連動杆　　　　　２４　第１枢着点
２６　第３枢着点　　　２７　第４枢着点
２８　第５枢着点　　　２９　第６枢着点
３０　第１係合部　　　３１　第２係合部
３２　規制部材　　　　３３　規制部
３４　キックばね　　　３５　操作片
３６　操作部材　　　　３７　枢軸
３８　シャフト　　　　３９　レバー
４０　押圧片　　　　　４１　円弧状端縁
４２　取付部材　　　　４３　溝部
４４　壁板　　　　　　４５　カバー
４６　配線ダクト
【図１】
2004121439.tif 000003
【図２】
2004121439.tif 000004
【図３】
2004121439.tif 000005
【図４】
2004121439.tif 000006
【図５】
2004121439.tif 000007
【図６】
2004121439.tif 000008
【図７】
2004121439.tif 000009
【図８】
2004121439.tif 000010
【図９】
2004121439.tif 000011
【図１０】
2004121439.tif 000012
【図１１】
2004121439.tif 000013